(57)【要約】【課題】接着テープを容易に剥がして段ボール箱を開封できるようにする。【解決手段】各一対の端板１及び側板２を稜部を介して連設し、端板１及び側板２からそれぞれ端フラップ３及び側フラップ４を延出し、端板１に切目線６を入れて押込片７を設け、押込片７の根元にヒンジ線８を入れ、封緘に際し、端フラップ３と側フラップ４とを順次折り曲げて重ね合わせ、側フラップ４の先端部同士を突き合わせて、その突合部から押込片７の基部側へかけて接着テープＴを貼り付け、開封に際し、押込片７を押し込んで揺動させ、これに伴い、押込片７から接着テープＴを剥離させて、接着テープＴの端部を摘み、接着テープＴを側フラップ４の突合部から剥がす段ボール箱において、前記押込片７のヒンジ線８を、端板１と端フラップ３の稜線に対して傾斜させる。【選択図】図１
0003166259.tif 000002
【実用新案登録請求の範囲】
【請求項１】
各一対の端板(1)及び側板(2)を稜部を介して連設し、端板(1)及び側板(2)からそれぞれ端フラップ(3)及び側フラップ(4)を延出し、端板(1)に切目線(6)を入れて押込片(7)を設け、押込片(7)の根元にヒンジ線(8)を入れ、封緘に際し、端フラップ(3)と側フラップ(4)とを順次折り曲げて重ね合わせ、側フラップ(4)の先端部同士を突き合わせて、その突合部から押込片(7)の基部側へかけて接着テープ(T)を貼り付け、開封に際し、押込片(7)を押し込んで揺動させ、これに伴い、押込片(7)から接着テープ(T)を剥離させて、接着テープ(T)の端部を摘み、接着テープ(T)を側フラップ(4)の突合部から剥がす段ボール箱において、前記押込片(7)のヒンジ線(8)を、端板(1)と端フラップ(3)の稜線に対して傾斜させたことを特徴とする段ボール箱。
【考案の詳細な説明】
【技術分野】
【０００１】
この考案は、商品の配送等に用いる段ボール箱であって、封緘用接着テープを剥がしやすくしたものに関する。
【背景技術】
【０００２】
従来、この種の段ボール箱として、下記特許文献１には、図７（ａ）に示すように、各一対の端板５１及び側板５２を稜部を介して連設し、端板５１及び側板５２の上下端からそれぞれ端フラップ５３及び側フラップ５４を延出し、端板５１の上部及び下部にそれぞれＵ字及び逆Ｕ字状の切目線５５を入れて押込片５６を設け、押込片５６の根元に水平方向のヒンジ線５７を入れたものが記載されている。
【０００３】
この段ボール箱では、封緘に際し、端フラップ５３と側フラップ５４とを順次折り曲げて重ね合わせ、側フラップ５４の先端部同士を突き合わせて、その突合部から押込片５６の基部側へかけて接着テープＴを貼り付ける。
【０００４】
また、開封に際し、図７（ｂ）に示すように、端板５１の上部の押込片５６を押し込んで揺動させ、これに伴い、押込片５６から接着テープＴを剥離させて、接着テープＴの端部を摘み、接着テープＴを側フラップ５４の突合部から剥がし、箱の解体時には、端板５１の下部の押込片５６を押し込んで、同様に底面の接着テープＴを剥がす。
【先行技術文献】
【特許文献】
【０００５】
【特許文献１】特開２００３−７２７４８号公報
【考案の概要】
【考案が解決しようとする課題】
【０００６】
しかしながら、上記のような段ボール箱では、開封時に押込片５６を押し込む際、一方の側板５２の手前側から斜めに手を差し出すと、手向きが悪く、真上から垂直に手を降ろして押し込まなければ、押し込みにくいという問題がある。
【０００７】
そこで、この考案は、接着テープを容易に剥がして段ボール箱を開封できるようにすることを課題とする。
【課題を解決するための手段】
【０００８】
上記のような課題を解決するため、この考案は、各一対の端板及び側板を稜部を介して連設し、端板及び側板からそれぞれ端フラップ及び側フラップを延出し、端板に切目線を入れて押込片を設け、押込片の根元にヒンジ線を入れ、封緘に際し、端フラップと側フラップとを順次折り曲げて重ね合わせ、側フラップの先端部同士を突き合わせて、その突合部から押込片の基部側へかけて接着テープを貼り付け、開封に際し、押込片を押し込んで揺動させ、これに伴い、押込片から接着テープを剥離させて、接着テープの端部を摘み、接着テープを側フラップの突合部から剥がす段ボール箱において、前記押込片のヒンジ線を、端板と端フラップの稜線に対して傾斜させたのである。
【考案の効果】
【０００９】
この考案に係る段ボール箱は、開封時に一方の側板の手前側から斜めに手を差し出しても、押込片を自然な手向きで無理なく押し込むことができ、接着テープを側フラップの突合部から容易に剥がして、開封することができる。
【００１０】
また、開封に際して、段ボールが破れにくいので、再封緘が可能となり、商品の返品に使用することもできる。
【図面の簡単な説明】
【００１１】
【図１】この考案の第１実施形態に係る段ボール箱の（ａ）封緘状態を示す斜視図、（ｂ）開封に伴う押込片の押込状態を示す斜視図
【図２】同上の段ボール箱の（ａ）ブランクを示す図、（ｂ）押込片の形状を示す拡大図、（ｃ）押込片の他の形状を示す拡大図
【図３】この考案の第２実施形態に係る段ボール箱の（ａ）封緘状態を示す斜視図、（ｂ）開封に伴う押込片の押込状態を示す斜視図
【図４】同上の段ボール箱の（ａ）ブランクを示す図、（ｂ）押込片の形状を示す拡大図
【図５】この考案の第３実施形態に係る段ボール箱の（ａ）封緘状態を示す斜視図、（ｂ）開封に伴う先押片の押込状態を示す斜視図、（ｃ）押込片の押込状態を示す斜視図
【図６】同上の段ボール箱の（ａ）ブランクを示す図、（ｂ）押込片の形状を示す拡大図
【図７】従来の段ボール箱の（ａ）封緘状態を示す斜視図、（ｂ）開封に伴う押込片の押込状態を示す部分斜視図
【考案を実施するための形態】
【００１２】
まず、この考案の第１実施形態を図１及び図２に基づいて説明する。
【００１３】
この段ボール箱は、封緘状態で図１（ａ）に示すようなものであり、図２（ａ）に示すブランクから形成される。その基本構成は、各一対の端板１及び側板２を連設し、端板１及び側板２の上下端からそれぞれ端フラップ３及び側フラップ４を延出し、一方の側板２の外端に継代片５を連設したものとされている。
【００１４】
また、この段ボール箱には、図２（ａ），（ｂ）に示すように、端板１に切目線６を入れて押込片７が設けられ、押込片７の根元にヒンジ線８が入れられている。押込片７は、中心を上端とした扇状とされ、ヒンジ線８は、一方の半径部分に相当し、端板１と端フラップ３の稜線に対して傾斜している。
【００１５】
ここで、切目線６は、図２（ｂ）に示すように、直線の切目が繋部を介して断続するミシン目状であってもよく、図２（ｃ）に示すように、鉤状の切目が繋部を介して断続するジッパ型としてもよい。
【００１６】
上記のようなブランクから段ボール箱を製造する際には、ブランクを端板１と側板２の境界の罫線沿いに折り重ねて継代片５を反対側の端板１に貼り付け、偏平な折畳状態となった段ボール箱を、商品を包装する事業所へ配送する。
【００１７】
また、この段ボール箱で商品を包装する際には、端板１及び側板２を角筒状に折り曲げて、底面の端フラップ３と側フラップ４とを順次折り曲げて重ね合わせ、側フラップ４の先端部同士を突き合わせて、その突合部から端板１へかけて接着テープＴを貼り付ける。
【００１８】
その後、箱内に商品を収納し、天面の端フラップ３と側フラップ４とを順次折り曲げて重ね合わせ、側フラップ４の先端部同士を突き合わせて、その突合部から押込片７の基部側へかけて接着テープＴを貼り付け、図１（ａ）に示すように封緘する。
【００１９】
一方、この段ボール箱を開封する際には、図１（ｂ）に示すように、押込片７を押し込んで、切目線６の繋部を破断させ、押込片７のヒンジ線８を軸とする揺動に伴い、押込片７から接着テープＴを剥離させて、接着テープＴの端部を摘み、接着テープＴを側フラップ４の突合部から剥がす。
【００２０】
上記のような段ボール箱は、開封時に一方の側板２の手前側から斜めに手を差し出しても、押込片７を自然な手向きで無理なく押し込むことができ、接着テープＴを側フラップ４の突合部から容易に剥がして、開封することができる。
【００２１】
また、開封に際して、段ボールが破れにくいので、再封緘が可能となり、商品の返品に使用することもできる。
【００２２】
次に、この考案の第２実施形態を図３及び図４に基づいて説明する。
【００２３】
この段ボール箱の基本構成は、上記第１実施形態のものと同様であり、押込片７の形状が第１実施形態のものとは異なっている。
【００２４】
この段ボール箱の押込片７は、図４（ａ）及び（ｂ）に示すように、直角二等辺三角形の角を丸めた形状とされ、切目線６は、押込片７の直立した長辺及び直角を挟む下側の一辺に相当し、ヒンジ線８は、押込片７の直角を挟む上側の一辺に相当して、端板１と端フラップ３の稜線に対して傾斜している。
【００２５】
このような段ボール箱でも、図３（ａ）に示すように商品を包装して封緘した状態から開封する際、図３（ｂ）に示すように、押込片７を自然な手向きで押し込んで、切目線６の繋部を破断させ、ヒンジ線８を軸に揺動した押込片７から接着テープＴを剥離させて、接着テープＴの端部を摘み、接着テープＴを側フラップ４の突合部から容易に剥がして、開封することができる。
【００２６】
次に、この考案の第３実施形態を図５及び図６に基づいて説明する。
【００２７】
この段ボール箱の基本構成もまた、上記第１実施形態のものと同様であり、押込片７及びその隣接部の構成が第１及び第２実施形態のものとは異なっている。
【００２８】
この段ボール箱の押込片７は、図６（ａ）及び（ｂ）に示すように、中心を左右方向の一端とした扇状のものが上下に一対設けられ、各押込片７のヒンジ線８は、上方又は下方の半径部分に相当して、端板１と端フラップ３の稜線に対して傾斜している。
【００２９】
また、この押込片７の弧状縁側には、半円状の先押片９が押込片７へ湾入する切目線６を入れて設けられ、先押片９の根元には、押込片７の先端の切目線６の延長線上に位置する弧状のヒンジ線１０が入れられている。
【００３０】
このような段ボール箱でも、図５（ａ）に示すように商品を包装して封緘した状態から開封する際、図５（ｂ）に示すように、先押片９を押し込み、図５（ｃ）に示すように、押込片７を自然な手向きで押し込んで、切目線６の繋部を破断させ、ヒンジ線８を軸に揺動した押込片７から接着テープＴを剥離させて、接着テープＴの端部を摘み、接着テープＴを側フラップ４の突合部から容易に剥がして、開封することができる。
【符号の説明】
【００３１】
１  端板
２  側板
３  端フラップ
４  側フラップ
５  継代片
６  切目線
７  押込片
８  ヒンジ線
９  先押片
１０  ヒンジ線
Ｔ  接着テープ
【図１】
0003166259.tif 000003
【図２】
0003166259.tif 000004
【図３】
0003166259.tif 000005
【図４】
0003166259.tif 000006
【図５】
0003166259.tif 000007
【図６】
0003166259.tif 000008
【図７】
0003166259.tif 000009